(57)【特許請求の範囲】
【請求項１】
階段部設置領域の周囲にコ字状形に立設された第１、第２および第３の壁部が囲む領域内に、一対のササラ桁間に複数の段板が所定間隔で取付けられ予め一体化された階段ユニットを用いて階下床面部から階上床面部との間に構築され、第１の階段ユニットがなす下段部と、第２の階段ユニットがなす上段部と、前記下段部と上段部との間に設けられた踊り場部と、前記領域内に立設されて前記第１の階段ユニットおよび前記踊り場部を支持する支持壁部と、前記第１の階段ユニットと前記第２の階段ユニットとの間に立設された中壁部と、を含む階段部領域の構築方法であって、
前記第１の階段ユニットと前記踊り場部との接合位置における前記階下床面部上に、前記第１の壁部と直交させて前記支持壁部を立設する工程と、
前記第１の階段ユニットの一方の側部を前記第１の壁部に当接させて、前記階下床面部から前記支持壁部にわたって前記第１の階段ユニットを配設する工程と、
前記第１の階段ユニットより前記第２の壁部側で、かつ前記第１の壁部、前記第２の壁部および前記第３の壁部に囲まれた領域に前記踊り場部を構築する工程と、
前記第１の階段ユニットの他方の側部と前記中壁部の壁面とを当接させ、前記第１の壁部および前記第３の壁部と平行に前記階下床面部上に中壁部を立設する工程と、
前記第２の階段ユニットの一方の側部を前記第２の壁部に、他方の側部を前記中壁部にそれぞれ当接させ、前記踊り場部から前記階上床面部にわたって前記第２の階段ユニットを配設する工程と、
を含むことを特徴とする階段部領域の構築方法。
【請求項２】
請求項１において、
前記中壁部は、前記第２の階段ユニットの上部側領域を除いて下部側領域を覆い、
前記第２の階段ユニットの配設後に、前記中壁部上端に前記第２の階段ユニットの上部側領域を覆う階上側中壁部を構築する工程と、を含むことを特徴とする階段部領域の構築方法。
【請求項３】
請求項１または請求項２において、
前記第１の壁部、前記第３の壁部および前記中壁部は、枠組みした枠体の両面に仕上げ材をなす無機質面材を直に取付け形成した壁パネルを一枚以上立設して構築し、
前記第１の階段ユニットはその側部を前記第１の壁部および前記中壁部に、前記第２の階段ユニットはその側部を前記第３の壁部および前記中壁部に、それぞれ直接当接固定することを特徴とする階段部領域の構築方法。
【請求項４】
請求項１から請求項３のいずれかにおいて、
前記踊り場部を、前記階下床面部から前記階上床面部までの高さの１／２より所定距離高い位置に構築することを特徴とする階段部領域の構築方法。
【請求項５】
請求項１から請求項４のいずれかに記載された階段部領域の構築方法によって構築され、第１の壁部、第２の壁部および第３の壁部と、第１の階段ユニットおよび第２の階段ユニットと、踊り場部と、中壁部と、支持壁部と、を有する階段部領域構造であって、
前記支持壁部は、方形状に枠組みした枠体を有し、少なくとも前記枠体の一方の面には面材が取付けられていない支持壁パネルを、前記一方の面を前記第２の壁部と対向させて構築され、
前記踊り場部の前記第１の階段ユニット側端部には、下端を前記支持壁部によって支持された蹴込み板材が取付けられ、前記蹴込み板材の一方の側面は前記支持壁の枠体の一方の面と面一とされて配置され、前記蹴込み板材の一方の側面および前記支持壁の一方の面には、仕上げ材をなす無機質面材が両面を覆って連続して取付けられていることを特徴とする階段部領域構造。
【発明の詳細な説明】
【０００１】
【発明の属する技術分野】
本発明は、階段ユニットを用いた階段部領域の構築方法およびこの構築方法によって構築された階段部領域構造に関する。
【０００２】
【背景技術および発明が解決しようとする課題】
従来、屋内において階段部を構築する場合、階段部を構築する上部位置に受け材をかけわたし、階段部設置領域に対向して設けられた壁面のそれぞれにささら桁を取付け、このささら桁間に複数の段板および蹴込み板を所定間隔で取付けていくことによって、階段を構築していた。そして、化粧段板を取付け、幅木等により階段全体の仕上げ施工を行うようにしていた。
【０００３】
しかしながら、上述した従来の階段部構築方法は、階段を構成している部材を個々に壁部に取付けるもので、その取付け作業が煩雑で手間がかかり、しかも全て建築現場において行う作業であるので工期の長期化につながるというも問題点があった。
【０００４】
そこで、予め工場等において、ササラ桁、段板および蹴込み板を一体化した階段ユニットを形成し、この階段ユニットを対向する壁部間に取付ける階段構築方法が用いられるようになってきた。このように一体化された階段ユニットを立設された壁部間に取付ける場合、まず、階段ユニットを構成するささら桁の取付け位置に沿って、調整材を壁面に取付け、この調整材を介して壁面に階段ユニットを取付ける方法が用いられていた。そして、その後、この取付け材を挟んで上部分と下部分の壁面に分割して石膏ボード等の仕上げ材を取付けていた。しかしながら、この方法においても、調整材の取付け作業が必要で、かつ仕上げ材を分割して取付ける必要があるため、やはり現場作業の手間がかかるものであった。
【０００５】
また一方、近年工業化のさらなる推進による現場施工の簡略化を図る目的で、壁パネルの表面に予め仕上げ材を取付けた仕上げ材付き壁パネルを形成し、施工現場においてこれらを連設することにより壁部が構築されるようになってきた。このような仕上げ材付き壁パネルを用いて構築した壁部間に、階段ユニットを取付ける場合には、従来のように壁面に調整材を用いることが困難であり、しかも取付け作業の際に壁部を傷つけるおそれが大きいという問題が生じた。
【０００６】
さらに、階段部を含む領域を構築する際に、居住空間をより広くとるために、階段下のスペースを有効に活用することができる階段部領域の構築が望まれている。
【０００７】
本発明は上述した問題点および要請に鑑みなされたものであり、その目的は、対向した壁部間に予め一体化した階段ユニットを用いて階段部領域を構築する際に、壁部を傷つけるおそれを低減し、かつ現場作業の簡略化を図ることができ、しかも階段部下のスペースの有効利用を図ることができる階段部領域の構築方法を提供することにある。
【０００８】
【課題を解決するための手段】
以下、本欄においては上記目的を達成するための手段を、本願の各請求項の各構成要件に対して本願の実施の形態の符号を対応させて説明する。
【０００９】
請求項１記載の発明は、階段部設置領域の周囲にコ字状形に立設された第１（１２）、第２（１４）および第３の壁部（１６）が囲む領域内に、一対のササラ桁（５２）間に複数の段板（５４）が所定間隔で取付けられ予め一体化された階段ユニット（５０，６０）を用いて階下床面部（８０）から階上床面部（８２）との間に構築され、第１の階段ユニット（５０）がなす下段部と、第２の階段ユニット（６０）がなす上段部と、前記下段部と上段部との間に設けられた踊り場部（７０）と、前記領域内に立設されて前記第１の階段ユニットおよび前記踊り場部を支持する支持壁部（４０）と、前記第１の階段ユニットと前記第２の階段ユニットとの間に立設された中壁部（３０）と、を含む階段部領域の構築方法であって、前記第１の階段ユニットと前記踊り場部との接合位置における前記階下床面部上に、前記第１の壁部と直交させて前記支持壁部を立設する工程と、
前記第１の階段ユニットの一方の側部を前記第１の壁部に当接させて、前記階下床面部から前記支持壁部にわたって前記第１の階段ユニットを配設する工程と、
前記第１の階段ユニットより前記第２の壁部側で、かつ前記第１の壁部、前記第２の壁部および前記第３の壁部に囲まれた領域に前記踊り場部を構築する工程と、
前記第１の階段ユニットの他方の側部と前記中壁部の壁面（３６）とを当接させ、前記第１の壁部および前記第３の壁部と平行に前記階下床面部上に中壁部を立設する工程と、前記第２の階段ユニットの一方の側部を前記第２の壁部に、他方の側部を前記中壁部にそれぞれ当接させ、前記踊り場部から前記階上床面部にわたって前記第２の階段ユニットを配設する工程と、を含むことを特徴とする。
【００１０】
請求項１記載の発明にあっては、第１の階段ユニットは、側部側の一方にのみ第１の壁部が立設された状態にて、上方より壁面間に落とし込むことなく第１の壁部にその側部を当接されて配設される。そしてその後、前記第１の階段ユニットの他方の側部に当接させて中壁部が立設され、第１の壁部と中壁部との間に第１の階段ユニットが配設されることとなる。よって、壁面を傷つけるおそれが低減され、予め一体化された第１の階段ユニットを対向する壁面間に容易に配設することができる。
【００１１】
また、第１の階段ユニットは階下の床面部と支持壁部とによって支持されるので、他方の側部側に中壁部が立設されていない状態においても、第１の階段ユニットを設けることができる。そして、支持壁部は第１の階段ユニットを支持すると共に、踊り場部下空間を区画する。よって、階段部領域を構築すると同時に、踊り場部下に区画された所定の領域を形成することができ、階段下のスペースを有効に活用することができる階段部領域を構築することができる。
【００１２】
請求項２記載の発明は、請求項１において、前記中壁部は、前記第２の階段ユニットの上部側領域を除いた下部側領域を覆い、前記第２の階段ユニットの配設後に、前記中壁部上端に前記第２の階段ユニットの上部側領域を覆う階上側中壁部（３４）を構築する工程と、を含むことを特徴とする。
【００１３】
請求項２記載の発明にあっては、第２の階段ユニットは、中壁部立設後に第３の壁部との間に落とし込まれて、踊り場部と階上床面部とにわたって配設されるものであるが、この中壁部が第２の階段ユニットの上部側領域を除いた下部側領域を覆うものであるので、第２の階段ユニット取付けの際に、壁部を傷つけるおそれが低減し、第２の階段ユニットの取付け作業も容易となる。そして、その後階上側中壁部を立設することにより、第２の階段ユニットの一方の側部は全域にわたって壁部によって覆われ、手摺等を取付けることができる。
【００１４】
請求項３記載の発明は、請求項１または請求項２において、前記第１の壁部、前記第３の壁部および前記中壁部は、枠組みした枠体（２４）の両面に仕上げ材をなす無機質面材（２７，２８）を直に取付け形成した壁パネル（２０）を一枚以上立設して構築し、前記第１の階段ユニットはその側部（５３ａ，５３ｂ）を前記第１の壁部および前記中壁部に、前記第２の階段ユニットはその側部を前記第３の壁部および前記中壁部に、それぞれ直接当接固定することを特徴とする。
【００１５】
請求項３記載の発明にあっては、階段部領域構造を構成する第１の壁部、第３の壁部および中壁部は、予め仕上げ材をなす無機質面材が取付けられた壁パネルによって構築されるので、該壁パネルを現場へ搬送し、所定位置に立設するのみで仕上げ材が取付けられた壁部が構築され、仕上げ材の取付け作業等を必要としない。よって、階段部領域の構築作業が簡略化される。
【００１６】
また、前記壁パネルは、枠組みした枠体の両面に仕上げ材をなす無機質面材が直に取付けられて形成されており、しかも階段ユニットはこれら壁部の壁面に直接当接固定されるので、従来のように、壁面をなす面材を介して仕上げ材が取付けられた壁部に、取付け材を介して階段ユニットが取付けられていた構成と比して、階段の段部の幅を広くとることができ、取付け材等も必要としないので部材点数を削減することができ、取付け作業も簡略化される。
【００１７】
請求項４記載の発明は、請求項１から請求項３のいずれかにおいて、前記踊り場部を、前記階下床面部から前記階上床面部までの高さの１／２より所定距離高い位置に構築することを特徴とする。
【００１８】
請求項４記載の発明にあっては、有効スペースとして活用することができる踊り場部下の領域を、高さをもった領域として広く確保することができる。そして、この領域を、例えばトイレ、物入れ等として有効に活用することができる。また、すでに立設された中壁部と第３の壁部との間に取付けられる第２の階段ユニットの段数を少なくすることができるので、第２の階段ユニットの取付け作業を容易なものとすることができる。
【００１９】
請求項５記載の発明は、請求項１から請求項４のいずれかに記載された階段部領域の構築方法によって構築され、第１の壁部（１２）、第２の壁部（１４）および第３の壁部（１６）と、第１の階段ユニット（５０）および第２の階段ユニット（６０）と、踊り場部（７０）と、中壁部（３０）と、支持壁部（４０）と、を有する階段部領域構造であって、
前記支持壁部は、方形状に枠組みした枠体（４６）を有し、少なくとも前記枠体の一方の面（４７）には面材が取付けられていない支持壁パネル（４２）を、前記一方の面を前記第２の壁部と対向させて構築され、
前記踊り場部の前記第１の階段ユニット側端部には、下端を前記支持壁部によって支持された蹴込み板材（９４）が取付けられ、前記蹴込み板材の一方の側面（９７）は前記支持壁の枠体の一方の面（４７）と面一とされて配置され、前記蹴込み板材の一方の側面および前記支持壁の一方の面には、仕上げ材をなす無機質面材（１１０）が両面を覆って連続して取付けられていることを特徴とする。
【００２０】
請求項５記載の発明に係る階段部領域構造にあっては、踊り場部下に、例えばトイレや物入れ等として有効に活用することができる領域を確保することができる。
【００２１】
そして、踊り場部下の領域をトイレや物入れ等として活用する場合には、支持壁と踊り場部とを連結する蹴込み板材とがなす壁面に対しても、仕上げ材の取付けおよびクロス貼り等の仕上げ処理が必要となる。
【００２２】
請求項５記載の発明においては、蹴込み板材の踊り場部側の側面と支持壁の枠体の一方の面とが面一として配置され、仕上げ材をなす無機質面材が両面を覆って連続して取付けられていることにより、無機質面材の継ぎ目をなくし、段差なく前記両面を覆うことができる。よって、蹴込み板材と支持壁とがなす踊り場部側壁面の外観上の見栄えがよく、無機質面材に仕上げ処理としてクロス貼りを行う際にクロス切れを防ぐことができる。
【００２３】
【発明の実施の形態】
以下、本発明の好適な実施の形態について図面に基づいて説明する。
【００２４】
図１は、本実施の形態に係る階段部領域の構築方法によって構築した階段部領域１０の構造を第１の壁面側から示す断面図であり、図２は、上方から示す断面図である。
【００２５】
階段部領域１０は、建築物内部における所定の階段部設置領域に構築されたものである。階段部領域１０は、図１および図２に示すように、立設された壁部と、この壁部間に設けられ、踊り場部７０を挟んで下段部と上段部とを有する廻り階段をなす階段部とを含み構成されている。
【００２６】
壁部は、図２に示すように、階段部設置領域の周囲にコ字状形に立設された第１の壁部１２、第２の壁部１４および第３の壁部１６と、対向して立設する第１の壁部１２と第３の壁部１６との間にこれらと平行に立設された中壁部３０と、図１に示すように、第１の壁部１２に直交し、かつ第２の壁部１４と平行に立設された支持壁部４０とを含む。また、階段部は、下段部をなす第１の階段ユニット５０および上段部をなす第２の階段ユニット６０と、踊り場部７０とを含む。
【００２７】
第１の壁部１２、第２の壁部１４および第３の壁部１６は、壁パネル２０を複数枚連設することによりそれぞれ構築されている。壁パネル２０は、工場等において形成され、その両面に壁仕上げ材をなす無機質面材２６，２８を予め有する、いわゆるプレフィニッシュタイプの建築用パネルである。
【００２８】
壁パネル２０は、図６に示すように、複数の枠材２２が方形状に枠組みされてなる枠体２４と、枠体２４内に格子状に組み込まれた横桟材２５および縦桟材２６と、枠体２４の両面にそれぞれ取付けられた無機質面材２７，２８とを含み形成されている。無機質面材２７，２８は壁仕上げ材をなすもので、本実施の形態においては、繊維が混入したセメントボードが用いられている。これら無機質面材２７，２８は、合板等の面材を介さず枠体２４の両面にそれぞれ直接取付けられている。
【００２９】
また、横桟材２５，２５の、縦桟材２６を挟んだ両側であって無機質面材２７側には、横桟材２５，２５を貫通する切欠き部２５ａがそれぞれ形成されている。この切欠き部２５ａは、壁パネル２０内に配線等を配設する場合に、配線を通す配線穴として用いられるものである。
【００３０】
中壁部３０は、図１に示すように、階下床面部８０上に立設された３枚の壁パネル３２ａ、３２ｂ，３２ｃを連設することにより構築されている。また、壁パネル３２ａの上端には、階上側中壁部３４を構築する壁パネル３２ｄが取付けられている。
【００３１】
これらの壁パネル３２ａ、３２ｂ，３２ｃ，３２ｄは、複数の枠材を所定形状に枠組みした枠体と、枠体の両面に、面材を介さずそれぞれ直接取付けられた無機質面材とを含み構成されている。枠体の内部には、適宜桟材が組み込まれている。これらの壁パネル３２ａ、３２ｂ，３２ｃ，３２ｄも、壁パネル２０と同様に予め工場等において形成されて現場へ搬送されるものである。
【００３２】
支持壁部４０は、支持壁パネル４２を階下の床面上に立設することにより構築されており、支持壁パネル４２は、複数の枠材を方形状に枠組みした枠体４６と、枠体４６の片面に取付けられた無機質面材４８とを含み構成されている。枠体４６内には、適宜桟材が組み込まれている。支持壁パネル４２も、上述した壁パネルと同様に、予め工場等において形成されて現場へ搬送される。
【００３３】
階段部領域１０において、階段部の下段部は第１の階段ユニット５０を用いて、上段部は第２の階段ユニット６０を用いて構築されている。
【００３４】
第１の階段ユニット５０は、第１の壁部１２と中壁部３０との間において、階下床面部８０から支持壁部４０上端にわたって配設されている。また、第２の階段ユニット６０は、第３の壁部１６と中壁部３０との間において、踊り場部７０から階上床面部８２にわたって配設されている。踊り場部７０は、第１の階段ユニット５０と第２の階段ユニット６０との間の第１の壁部１２、第２の壁部１４および第３の壁部１６に囲まれた領域に構築されている。
【００３５】
第１の階段ユニット５０は、図３に示すように、一対のささら桁５２間に複数の段板５４および蹴込み板５６を所定間隔で取付け、予め一体化されて構成されている。また、第１の階段ユニット５０は、支持壁部４０上端と階下床面部８０との間に取付けられる長さのユニットとして構成されている。さらに、第１の階段ユニット５０は、ささら桁５２の上端に階段の上部側に位置する支持壁部４０側に突出させて、最上段の段板５４ａが設けられた状態となっている。
【００３６】
第２の階段ユニット６０は、段数が第１の階段ユニット５０よりも少ないとを除けば、その構成は第１の階段ユニット５０と同様で、一対のささら桁６２間に複数の段板６４および蹴込み板６６を所定間隔で取付け、予め一体化されて構成されている。ささら桁６２の上端には、階段の上部側に位置する階上床面部８２側に突出させて最上段の段板６４ａが設けられている。また、第２の階段ユニット６０は、踊り場部７０と階上床面部８２との間に取付けられる長さのユニットとして構成されている。
【００３７】
踊り場部７０は、踊り場パネル７２によって構成されており、踊り場パネル７２は複数の枠材を方形状に枠組みした枠体７６の上面に面材７８を取付けることにより形成されている。
【００３８】
階段部領域１０においては、踊り場部７０は、図１に示すように、２枚の踊り場パネル７２ａ、７２ｂを段差をもって並設することにより構築されている。詳細は後に述べる。
【００３９】
次に、階段部領域１０を構築する構築方法について述べる。
【００４０】
まず、階段設置領域の周囲に、それぞれ壁パネル２０を所定枚数連設することにより、第１の壁部１２、第２の壁部１４および第３の壁部１６をコ字状形に立設する。
【００４１】
次に、支持壁パネル４２を、図１に示すように、第１の壁部１２と直交させ、かつ無機質面材４８が取付けられていない方の面を第２の壁部１４と対向させて階下床面部８０上に立設し、支持壁部４０を構築する。
【００４２】
そして、第１の階段ユニット５０を、図３に示すように、その下端部を階下床面部８０上に、その上端部である最上段の段板５４ａの突出部分５５を支持壁部４０上端に、それぞれ載置した状態で階下床面部８０から支持壁部４０上端にわたって配設し、下段部を構築する。この際、図４（Ａ）に示すように、一方のささら桁５２ａの第１の壁部１２側の側面５３ａを、第１の壁部１２の壁面に直接当接させ、接着剤および釘等によって階段ユニット５０と壁面とを固定する。
【００４３】
また、第１の階段ユニット５０を配設した状態において、図１に示すように、段板５４ａの突出部分５５は、支持壁部４０の上端面の第２の壁部１４側を所定範囲除いた状態で載置されている。
【００４４】
その次に、踊り場パネル７２ａ、７２ｂを用いて踊り場部７０を構築する。
【００４５】
まず、踊り場パネル７２ａの第１の階段ユニット側の端部に、段板材９０および蹴込み板材９４を取付ける（図５参照）。そして、段板材９０および蹴込み板材９４を取付けた踊り場パネル７２ａを、蹴込み板部材９６を支持壁部４０上端に載置し、図４（Ｂ）に示すように、第１の壁部１２、第２の壁部１４側の端面を、それぞれの壁面に接着剤および釘等により直接当接固定することにより配設する。この状態において、蹴込み板部材９６の側面９７と、支持壁部４０の第２の壁部１４側の面４７とは面一となっている。踊り場パネル７２ａと第１の階段ユニット５０との連結部分の納まり構造については後に説明する。
【００４６】
その次に、踊り場パネル７２ｂの第２のユニット６０側端面に下部受け材９２を取付け（図１参照）、踊り場パネル７２ａと同様に、第２の壁部１４および第３の壁部１６側の端面を、それぞれの壁面に、接着剤および釘等により直接当接固定することにより配設し、踊り場部７０を構築する。
【００４７】
なお、図１に示すように、第３の壁部１６側に配置される踊り場パネル７２ｂと第１の壁部１２側に配置される踊り場パネル７２ａとは、一段分の段差をもって設け、踊り場パネル７２ｂは踊り場パネル７２ａよりも一段高い位置に配設する。踊り場パネル７２ａと踊り場パネル７２ｂとは蹴込み板材７４によって連結する。
【００４８】
また、踊り場部７０の位置は、階段部が設けられている階下床面部８０から階上床面部８２までの距離の１／２の位置より高い位置に設定しておく。すなわち、図１に示すように、階下床面部８０から踊り場部７０までの距離ｌ２  は、階下床面部８０から階上床面部８２までの距離の１／２の距離であるｌ１  よりも大きい。
【００４９】
次に、予め連設された３枚の壁パネル３２ａ、３２ｂ，３２ｃを、第１の壁部１２と第３の壁部１６との間に、これらの壁部と平行に階下床面部８０上に立設して中壁部３０を構築する。
【００５０】
中壁部３０を、その端面が踊り場部７０と当接し、かつその第１の壁部１２側の面３６が第１の階段ユニット５０の他方のささら桁５２ｂの側面５３ｂと直接当接された状態で配置する。中壁部３０構築の際に、第１の階段ユニット５０の他方のささら桁５２ｂの側面５３ｂを接着剤および釘等によって中壁部３０の壁面と固定する。これで、第１の階段ユニット５０は、第１の壁部１２と中壁部３０とに直接当接固定されて支持されたこととなる（図４（Ａ）参照）。
【００５１】
その後、第２の階段ユニット６０を、踊り場部７０と階上床面部８２との間にわたって取付け、上段部を構築する。
【００５２】
階上床面部８２は、床パネル１００を敷設することにより構築されている。床パネル１００は、複数の枠材を方形状に枠組みした枠体１０２の上面に面材１０４を取付けてなり、枠体１０２の内部には適宜桟材が組込まれている。この床パネル１００の上段部を支持する側の端部には胴差１０６が取付けられており、この胴差１０６の上端には、第２の階段ユニット６０の最上段の段板６４ａの厚さに相当する凹部１０８が段板６４の幅に相応して形成されている。
【００５３】
第２の階段ユニット６０を第３の壁部１６と中壁部３０との間に落とし込み、その下端部を踊り場パネル７２ｂに取付けた下部受け材９２上に支持させるとともに、上端部に位置するささら桁６２を階上床面部８２の胴差１０６に当接させ、最上段の段板６４ａの突出部分６５を胴差１０６の上端に形成した凹部１０８に設置する。
【００５４】
中壁部３０は、図１に示すように、第２の階段ユニット６０の下３段分のみを覆う。そして、この状態において、第２の階段ユニット６０の一方のささら桁の側面を第３の壁部１６に、他方のささら桁の側面のうち中壁部３０が覆う部分のみ、それぞれの壁面に直接当接させ、接着材および釘等により固定する。
【００５５】
そしてその後、中壁部３０を構成する壁パネル３０ａの上端に、壁パネル３２ｄを立設して階上側中壁部３４を構築し、階段部領域１０の構築が完了する。
【００５６】
階上側中壁部３４は、第２の階段ユニット６０の上段側を完全に覆う。他方のささら桁の側面のうち階上側中壁部３４が覆う部分は、階上側中壁部３４の壁面に直接当接させ、接着材および釘等により固定する。これで、第２の階段ユニット６０は、第３の壁部１６と中壁部３０および階上側中壁部３４とに当接固定されて支持されたこととなる。
【００５７】
中壁部３０および階上側中壁部３４には、適宜手摺等を取付けることができる。
【００５８】
以上説明したように、本実施の形態に係る階段部領域の構築方法によれば、階段部領域１０の壁部を構成する第１の壁部１２、第２の壁部１４、第３の壁部１６および中壁部３０は、予め仕上げ材をなす無機質面材が取付けられた壁パネルによって構築されるので、これら壁パネルを現場へ搬送し、所定位置に立設するのみで仕上げ材が取付けられた壁部が構築され、仕上げ材の取付け作業等を必要としない。また階段部を構成する段部は、予め一体化された第１の階段ユニット５０および第２の階段ユニット６０とから構築されるので、所定位置に階段ユニットを配設すれば段部が構築され、面倒な階段組立作業を要さない。よって、現場作業の著しい簡略化が可能である。
【００５９】
そして、第１の壁部１２を立設し、第１の階段ユニット５０を配設した後に、中壁部３０を構築することにより、予め一体化された第１の階段ユニット５０を用いて階段部を構築する際も、壁面を傷つけるおそれが低減され、立設した壁面間に階段部の下段部を容易に構築することができる。
【００６０】
また、第１の階段ユニット５０は階下の床面部８０と支持壁部４０とによって支持されるので、他方の側面側に中壁部３０が立設されていなくても第１の階段ユニット５０を設けることができる。支持壁部４０は第１の階段ユニット５０を支持すると共に、踊り場部７０下領域を区画する。よって、階段部領域１０を構築すると同時に、踊り場部７０下に区画された所定の領域を形成することができ、階段下のスペースを有効に活用することができる階段部領域を得ることができる。
【００６１】
しかも踊り場部７０は、階段部が設けられている階下床面部８０から階上床面部８２までの距離の１／２の位置より高い位置に設定されているので、踊り場部７０下において、天井の高い比較的広い領域を確保することができ、トイレ、物入れ等として、スペースの有効利用を図ることができる。
【００６２】
第２の階段ユニット６０は、対向して立設された第３の壁部１６と中壁部３０との間に立設されることとなるが、図１に示すように、上段部をなす第２の階段ユニット６０は、第１の階段ユニット５０より段数が少なく、しかも中壁部３０は、第２の階段ユニット６０の下段部分のみを覆い、上段部分は覆わないので、第２の階段ユニット６０の取付け作業において、壁面を傷つけるおそれは低減され、その取付け作業も容易なものとなる。
【００６３】
さらに、第１の階段ユニット５０は、図４（Ａ）に示すように、第１の壁部１２および中壁部３０に、第２の階段ユニット６０は第３の壁部１６に、それぞれその側面を直接当接固定されており、第１の壁部１２、中壁部３０および第３の壁部１６は、それぞれ仕上げ材が枠体に直貼りされたパネルよりなるので、従来のように、壁面をなす面材を介して仕上げ材が取付けられた壁部に、取付け材を介して階段ユニットが取付けられていた構成と比して、階段の段部の幅を広くとることができ、取付け材等も必要としないので部材点数を削減することができ、その取付け作業も容易である。
【００６４】
同様に、踊り場パネル７２ａ，７２ｂも、図４（Ｂ）に示すように、第１の壁部１２、第２の壁部１４および第３の壁部１６に直接当接固定されてなるので、踊り場部の幅を広くとることができ、部材点数を削減することができ、その取付け作業も容易である。
【００６５】
次に、階段部領域１０の特徴的な構成である、踊り場パネル７２ａと第１の階段ユニット５０との連結部分の納まり構造について、図５に基づいて述べる。
【００６６】
本実施の形態における階段部領域１０においては、上述したように、踊り場部７０下において、設置領域の周囲に設けられた壁部と支持壁部４０とによって区画された所定の領域が確保される。そしてこの領域は、例えば、トイレ、物入れ等として有効に活用される。踊り場部７０下のスペースをこのような領域として利用する場合、踊り場部７０下の内側部分においても壁面の仕上げ処理が必要となる。
【００６７】
上述したように、踊り場パネル７２ａの第１の階段ユニット側の端部には、段板材９０および蹴込み板材９４が取付けられている（図５参照）。
【００６８】
ここで、段板材９０は、踊り場パネル７２ａの第１の階段ユニット５０側の端部の上側に取付けられ、段板材９０の上面と踊り場パネル７２ａの上面とは面一となっている。
【００６９】
蹴込み板材９４は、高さが異なる２枚の合板よりなり、段板材９０の下側において、第１の階段ユニット５０側に取付けられた第１の蹴込み板材９６と踊り場パネル７２ａ側に取付けられた第２の蹴込み板材９８とを有する。第１の蹴込み板材９６は、その下端が支持壁部４０の上端に載置された状態で、第１の蹴込み板材９６の踊り場パネル７２ａ側の側面９７と、支持壁部４０を構築する支持壁パネル４２の枠体４６の第２の壁部１４側の面である面４７とが面一となるように取付けられている。また、第２の蹴込み板材９８は、踊り場パネル７２ａの端部と第１の蹴込み板材９６との間を埋める調整材として機能し、第２の蹴込み板材９８の下面と踊り場パネル７２ａの下面とは面一となっている。
【００７０】
そして、踊り場パネル７２ａの第１の蹴込み板材９６を支持壁部４０上端に載置され支持された状態で、第１の蹴込み板材９６の側面９７と、支持壁部４０の面４７とは面一となっており、第１の蹴込み板材９６の側面９７と支持壁部４０の面４７とを覆って、連続的に、仕上げ材をなす無機質面材１１０が取付けられている。この無機質面材１１０の取付け作業は、踊り場パネル７２ａを支持壁部４０上端に支持させた後に現場にて行われる。
【００７１】
このように、第１の蹴込み板材９６の側面９７と支持壁部４０の面４７とが面一として配置されていることにより、無機質面材１１０を両面を覆って連続して取付けることができる。よって、無機質面材１１０の継ぎ目をなくし、段差なく蹴込み板部材９６と支持壁部４０とがなす踊り場部７０側の壁面の外観上の見栄えがよく、無機質面材１１０に仕上げ処理としてクロス貼りを行う際にクロス切れを防ぐことができる。
【００７２】
本発明は、上述した実施の形態に限定されるものではなく、本発明の要旨の範囲内において種々の変形実施が可能である。
【００７３】
例えば、本実施に形態においては、本実施の形態においては、階段部領域を構成する壁部は、予め仕上げ材が枠体に直貼りされたパネルより構築されていたが、これに限定されず、予め仕上げ材が直貼りされていないパネルよりなる壁部の場合でも、あるいはいわゆるパネルよりなる壁部でない場合でも、本発明に係る階段部領域の構築方法の適用は可能である。
【００７４】
また、踊り場部の位置も必ずしも階下床面部から階上床面部までの距離の１／２の位置より高い位置に限定されず、種々の位置を取りうる。踊り場部の位置が階下床面部から階上床面部までの距離の１／２の位置より低い位置に設定されている場合でも、踊り場部下には、支持壁部によって区画された所定の領域が確保され、スペースの有効利用を図ることができる。
【００７５】
【発明の効果】
請求項１記載の発明によれば、予め一体化された階段ユニットを用いて階段部領域を構築する場合でも、壁面を傷つけるおそれが低減され、階段ユニットを対向する壁面間に容易に配設することができ、現場作業の簡略化および容易化を図ることができる。
【００７６】
また、階段部領域を構築すると同時に、踊り場部の下に壁部によって区画された所定の領域を形成することができ、階段下のスペースを有効に活用することができる階段部領域を得ることができる。
【００７７】
請求項２記載の発明によれば、第２の階段ユニットは、中壁部立設後に第３の壁部との間に落とし込まれて、踊り場部と階上床面部とにわたって配設されるものであるが、この中壁部が第２の階段ユニットの上部側領域を除いた下部側領域を覆うものであるので、第２の階段ユニット取付けの際に、壁部を傷つけるおそれが低減し、第２の階段ユニットの取付け作業も容易となる。そして、その後階上側中壁部を立設することにより、第２の階段ユニットの一方の側部は全域にわたって壁部によって覆われ、手摺等を取付けることができる。
【００７８】
請求項３記載の発明によれば、壁パネルを現場へ搬送し、所定位置に立設するのみで仕上げ材が取付けられた壁部が構築され、仕上げ材の取付け作業等を必要としないので、階段部領域の構築作業がより簡略化される。
【００７９】
また、前記壁パネルは、枠組みした枠体の両面に仕上げ材をなす無機質面材が直に取付けられて形成されており、しかも階段ユニットはこれら壁部の壁面に直接当接固定されるので、従来のように、壁面をなす面材を介して仕上げ材が取付けられた壁部に、取付け材を介して階段ユニットが取付けられていた構成と比して、階段の段部の幅を広くとることができ、取付け材等も必要としないので部材点数を削減することができ、取付け作業も簡略化される。
【００８０】
請求項４記載の発明によれば、有効スペースとして活用することができる踊り場部下の領域を、高さをもった領域として広く確保することができる。そして、この領域を、例えばトイレ、物入れ等として有効に活用することができる。また、すでに立設された中壁部と第３の壁部との間に取付けられる第２の階段ユニットの段数を少なくすることができるので、第２の階段ユニットの取付け作業を容易なものとすることができる。
【００８１】
請求項５記載の発明によれば、無機質面材の継ぎ目をなくし、段差なく蹴込み板材と支持壁とがなす踊り場部側壁面を覆うことができる。よって、蹴込み板材と支持壁とがなす踊り場部側壁面の外観上の見栄えがよく、無機質面材に仕上げ処理としてクロス貼りを行う際にクロス切れを防ぐことができる。
【図面の簡単な説明】
【図１】本実施の形態に係る階段部領域の構築方法によって構築した階段部領域を第１の壁面側から示す断面図である。
【図２】本実施の形態に係る階段部領域の構築方法によって構築した階段部領域を上方から示す断面図である。
【図３】階段部領域を構成する第１の階段ユニットと支持壁とを示す斜視図である。
【図４】同図（Ａ）は、第１の階段ユニットが第１の壁部と中壁部との間に取付けられた状態を示す断面図であり、同図（Ｂ）は、踊り場パネルが第２の壁部に取付けられた状態を示す断面図である。
【図５】踊り場パネルと第１の階段ユニットとの連結部分の納まり構造を示す断面図である。
【図６】第１の壁部、第２の壁部および第３の壁部を構築する壁パネルを示す斜視図である。
【符号の説明】
１０  階段部領域
１２  第１の壁部
１４  第２の壁部
１６  第３の壁部
２０  壁パネル
２４  枠体
２７，２８  無機質面材
３０  中壁部
３２ａ，３２ｂ，３２ｃ，３２ｄ  壁パネル
３４  階上側中壁部
４０  支持壁部
４２  支持壁パネル
４６  枠体
４７  枠体の第２の壁部側の面
４８  無機質面材
５０  第１の階段ユニット
６０  第２の階段ユニット
７０  踊り場部
８０  階下床面部
８２  階上床面部
９０  段板材
９４  蹴込み板材
９６  第１の蹴込み板材
９７  第１の蹴込み板材の側面
９８  第２の蹴込み板材
１１０  無機質面材
【図１】
0003618468.tif 000002
【図２】
0003618468.tif 000003
【図３】
0003618468.tif 000004
【図４】
0003618468.tif 000005
【図５】
0003618468.tif 000006
【図６】
0003618468.tif 000007